(57)【要約】【課題】  浴槽支持台及び浴槽支持装置を提供する。【解決手段】  本発明は、浴槽を設置するための浴槽支持台及び浴槽支持装置に係り、さらに詳しくは、浴槽の設置が簡単且つ手軽に行えるようにするが、高低の調節により浴槽の水平を容易に合わせることができ、さらに、浴槽カバーもまた支持することができて設置後に全般的な安定感を大幅に向上させるようにした浴槽支持台及び浴槽支持装置に関する。本発明によれば、浴槽の設置が簡単且つ手軽に行えるようにするが、足踏み板の高低の調節により浴槽の水平を容易に合わせることができ、さらに、支持棒を介して浴槽カバーもまた支持できるようにした改善された構造により設置後に全般的な安定感を大幅に向上させることができるという効果を奏する。【選択図】  図５
2020025866.tif 000002
【特許請求の範囲】
【請求項１】
下面の前後側にボルト孔が形成され、前面には嵌合孔が形成され、前背面の一方の側には係合孔が多数形成されて浴槽を受け止める支持板と、前記支持板の前面に形成された嵌合孔に沿って引き込まれ、前側に浴槽カバーを支持可能な支持面が形成され、一方の面には鋸歯部が形成される支持棒と、前記支持板の内部において結合される支持棒の鋸歯部に接続するが、前記支持棒が無断で引き込まれることを防止するストッパー及び前記支持板のボルト孔にボルト係合して回転作動により水平を合わせられるように構成された調節足踏み板により構成されて所定の距離だけ離れて隔設される一対の浴槽支持台と；
前記一対の浴槽支持台を繋ぎ合わせるために、前背面にそれぞれ配設される結合バーと、前記結合バーを前記支持板の前背面にそれぞれ固定するために前記結合バーを密着しながら前記係合孔に係合する係合突起が形成されたブラケットと、からなる連結部材と；
を備えてなることを特徴とする浴槽支持装置。
【請求項２】
前記結合バーの両側には、各浴槽支持台の支持棒を収容するレール孔が形成されていて、前記支持棒に干渉されずに一対の浴槽支持台間の距離が調節可能であるが、間隔の調節が手軽に行えるように中心部を基準として両側に目盛り若しくは数字が表示されることを特徴とする請求項１に記載の浴槽支持装置。
【発明の詳細な説明】
【技術分野】
【０００１】
本発明は、浴槽を設置するための浴槽支持台及び浴槽支持装置に係り、さらに詳しくは、浴槽の設置が簡単且つ手軽に行えるようにするが、高低の調節により浴槽の水平を容易に合わせることができ、さらに、浴槽カバーもまた支持することができて設置後に全般的な安定感を大幅に向上させるようにした浴槽支持台及び浴槽支持装置に関する。
【背景技術】
【０００２】
一般に、浴槽を設置するためには、煉瓦とセメントなどで床面を水平に形成した後、その上に浴槽を設置して固定するなど複雑な施工方法が求められて、施工コストの高騰をきたすことはもとより、それにも拘わらず、煉瓦を積み重ねる過程において安定感が低下してしまうという欠点があった。
【０００３】
これを解消するために、近年、水平に高低を合わせられるような構成を有する浴槽支持台を用いている。例えば、韓国実用新案登録番号第２０-０３４３７９８号（２００４年３月９日付け公告）が提案されている。
【０００４】
同公報を参照すると、支持台にボルト結合された支持脚を備えて支持脚を回しながら浴槽の水平を合わせられるようにして簡単な施工を提案している。しかしながら、浴槽の荷重とともに、ボルト棒タイプに構成された支持脚を回転させながら微細な水平を調節するためにはかなりの不便さがあり、浴槽のカバーを支持したり受け止めたりする構成要素がないため、その後、カバーが押されてしまうという現象が頻繁に生じ、何よりも浴槽の下面の両側に配備される支持台の位置が互いにずれてしまうという現象も生じていた。
【先行技術文献】
【特許文献】
【０００５】
【特許文献１】韓国実用新案登録番号第２０-０３４３７９８号（２００４年３月９日付け公告）
【発明の概要】
【発明が解決しようとする課題】
【０００６】
本発明は、上述した問題を解消するために案出されたものであり、浴槽の設置が簡単且つ手軽に行えるようにするが、高低の調節により浴槽の水平を容易に合わせることができ、さらに、浴槽カバーもまた支持することができて設置後に全般的な安定感を大幅に向上させるようにした浴槽支持台及び浴槽支持装置を提供しようとする。
【課題を解決するための手段】
【０００７】
上述した目的を達成するために、本発明は、下面の前後側にボルト孔が形成され、前面には嵌合孔が形成され、前背面の一方の側には係合孔が多数形成されて浴槽を受け止める支持板と、前記支持板の前面に形成された嵌合孔に沿って引き込まれ、前側に浴槽カバーを支持可能な支持面が形成され、一方の面には鋸歯部が形成される支持棒と、前記支持板の内部において結合される支持棒の鋸歯部に接続するが、前記支持棒が無断で引き込まれることを防止するストッパー及び前記支持板のボルト孔にボルト係合して回転作動により水平を合わせられるように構成された調節足踏み板により構成されて所定の距離だけ離れて隔設される一対の浴槽支持台と；前記一対の浴槽支持台を繋ぎ合わせるために、前背面にそれぞれ配設される結合バーと、前記結合バーを前記支持板の前背面にそれぞれ固定するために前記結合バーを密着しながら前記係合孔に係合する係合突起が形成されたブラケットと、からなる連結部材と；を備えてなる。
【０００８】
好ましくは、前記結合バーの両側には、各浴槽支持台の支持棒を収容するレール孔が形成されていて、前記支持棒に干渉されずに一対の浴槽支持台間の距離が調節可能であるが、間隔の調節が手軽に行えるように中心部を基準として両側に目盛り若しくは数字が表示されることを特徴とする。
【発明の効果】
【０００９】
本発明によれば、浴槽の設置が簡単且つ手軽に行えるようにするが、足踏み板の高低の調節により浴槽の水平を容易に合わせることができ、さらに、支持棒を介して浴槽カバーもまた支持できるようにした改善された構造により設置後に全般的な安定感を大幅に向上させることができるという効果を奏する。
【図面の簡単な説明】
【００１０】
【図１】本発明の好適な一実施形態に係る浴槽支持台を示す分解斜視図である。
【図２】本発明の好適な一実施形態に係る浴槽支持台を示す分解横断面図である。
【図３】本発明の好適な一実施形態に係る浴槽支持台の結合関係を示す横断面図である。
【図４】「イ」は、本発明の好適な一実施形態に係る浴槽支持台の使用状態を示す概略正面図であり、「ロ」は、概略側面図である。
【図５】本発明の一実施形態に係る浴槽支持装置を示す分解斜視図である。
【図６】本発明の好適な一実施形態に係る連結部材を示す斜視図である。
【図７】本発明の好適な一実施形態に係る連結部材の結合関係を示す斜視図である。
【図８】本発明の好適な一実施形態に係る浴槽支持装置の使用状態を示す概略正面図である。
【発明を実施するための形態】
【００１１】
以下、添付図面に基づき、本発明の浴槽支持台及び浴槽支持装置についてより詳しく説明する。
【００１２】
本発明を説明するに先立って、本明細書及び特許請求範囲において用いられた用語や単語は、通常的若しくは辞書的な意味に限定して解釈されてはならず、発明者は、自分の発明を最善の方法で説明するために用語の概念を適宜に定義することができるという原則を踏まえて、本発明の技術的思想に見合う意味と概念を有するように解釈しなければならない。
【００１３】
よって、本明細書に記載の一実施形態と図示の構成は、本発明の最適な一実施形態に過ぎず、本発明の技術的な思想をいずれも代弁するものではないため、本出願の時点においてこれらに代え得る種々の均等物と変形例があり得るということを理解しなければならない。
【００１４】
図１は、本発明の好適な一実施形態に係る浴槽支持台を示す分解斜視図であり、図２は、本発明の好適な一実施形態に係る浴槽支持台を示す分解横断面図であり、図３は、本発明の好適な一実施形態に係る浴槽支持台の結合関係を示す横断面図であり、図４は、「イ」は、本発明の好適な一実施形態に係る浴槽支持台の使用状態を示す概略正面図であり、「ロ」は、概略側面図である。
【００１５】
まず、図１及び図３を参照すると、本発明の一実施形態に係る浴槽支持台１０は、大きく、支持板２０、支持棒３０、ストッパー４０及び調節足踏み板５０を備えてなる。
【００１６】
前記支持板２０は、下面の前後側にボルト孔２２が形成され、前面には嵌合孔２４が形成されている。このような支持板２０は、浴槽の下面を受け止めるものであり、略矩形状に形成される。
【００１７】
次いで、前記支持棒３０は、前記支持板２０の前面に形成された嵌合孔２４に沿って内部に引き込まれ、前側に浴槽カバーを支持可能な支持面３２が形成され、一方の面には鋸歯部３４が形成されている。
【００１８】
次いで、前記ストッパー４０は、前記支持板２０の内部に配設されるが、前記支持棒３０の鋸歯部３４に接続するように配備されて前記支持棒３０が無断で引き込まれることを防止することになる。すなわち、図３に示すように、前記ストッパー４０を外側に反らして支持棒３０の鋸歯部３４から離脱させなければ、前記支持棒３０が支持板２０の内部に引き込まれることは遮断することになり、逆に、支持棒３０を支持板２０の外部に引き出す動作には何らの干渉をしなくなるという構成であることが判る。
【００１９】
最後に、前記調節足踏み板５０は、前記支持板２０のボルト孔２２にボルト係合するボルト棒５２及び前記ボルト棒５２の下面に結合されて地面に密着される足踏み板５４からなって、回転動作により水平を合わせられるように構成され、回転作動が手軽に行えるように前記ボルト棒５２には十字状の取っ手５６が配備されて別途の工具なしにも作業者が手軽に回転させられるように構成することが好ましい。
【００２０】
上記のような構成を有する本発明の浴槽支持台１０は、図４の「イ」に示すように、浴槽Ｂの下面の両側にそれぞれ配備されて浴槽Ｂを受け止めており、調節足踏み板５４の高低の調節により浴槽Ｂの水平を合わせることができて施工が手軽に行えるが、特に、取っ手５６を用いて手軽に回転させることができるというメリットがある。
【００２１】
一方、「ロ」に示すように、支持板２０の内部に配備されているストッパー４０を反らして支持棒３０の鋸歯部３４に対する干渉を解除し、支持板２０の内外部に摺動させる作動を通じて浴槽カバーＣを支持面３２が支持するようにした後、ストッパー４０が鋸歯部３４を支持するようにすれば、無断で前記支持棒３０が引き込まれることがないので、カバーＣが押されてしまうという現象を源泉的に防止することができて、施工の安全性を大幅に向上させることが可能になるのである。
【００２２】
図５は、本発明の一実施形態に係る浴槽支持装置を示す分解斜視図であり、図６は、本発明の好適な一実施形態に係る連結部材を示す斜視図であり、図７は、本発明の好適な一実施形態に係る連結部材の結合関係を示す斜視図であり、図８は、本発明の好適な一実施形態に係る浴槽支持装置の使用状態を示す概略正面図である。
【００２３】
図５から図７を参照すると、本発明の一実施形態に係る浴槽支持装置１００は、大きく、所定の距離だけ離れて隔設される一対の浴槽支持台１０及び前記一対の浴槽支持台１０を繋ぎ合わせるために配備される連結部材１１０を備えてなる。
【００２４】
まず、前記浴槽支持台１０は、上述したように、支持板２０、支持棒３０、ストッパー４０及び調節足踏み板５０を備えて、上述と同じ構成及び作動関係を有する。そのため、同じ構成要素に対しては同じ符号を付し、別途の詳述は省略する。但し、前記支持板２０の前背面に係合孔２６が多数形成される点において相違点があり、このような浴槽支持台１０が一対に構成されて所定の距離だけ離れて隔設されるのである。
【００２５】
次いで、前記連結部材１１０は、前記一対の浴槽支持台１０の前背面にそれぞれ取り付けられて一対の浴槽支持台１０を繋ぎ合わせて一体化させるために配備されるものであり、前記一対の浴槽支持台１０の前背面にそれぞれ配設される結合バー１２０及び前記結合バー１２０を前記支持板２０にそれぞれ固定するために前記結合バー１２０を密着しながら前記係合孔２６に係合する係合突起１３４が形成されたブラケット１３０を備えてなる。
【００２６】
前記結合バー１２０の両側には、前記支持板２０の前面に配備される支持棒３０の結合及び摺動動作に干渉をしないことはもとより、一対の浴槽支持台１０の幅の調節の際に支持棒３０に干渉されないようにするために前記支持棒３０を収容するレール孔１２２が形成され、前記レール孔１２２の上下側には、ピン孔１２４が一定の間隔を隔てて多数形成されている。なお、前記結合バー１２０を中心部を基準として両側に一定の間隔をあけて目盛り及び数字が表示されているが、これは、一対の浴槽支持台１０間の間隔を調節するときに精度よく調節できるようにするために配備されるものである。
【００２７】
一方、前記レール孔１２２の上下側にピン孔１２４が多数形成されることは、後述するブラケット１３０に締結されるためであるが、これは、結合バー１２０が遊動することなく強固に結束されるために配備されるものである。
【００２８】
前記ブラケット１３０は、背面に前記結合バー１２０に形成されたピン孔１２４に係合するためのピン１３２が多数形成され、前記レール孔１２２を貫通して支持板２０の前背面に形成された係合孔２６に係合する係合突起１３４が多数形成される。すなわち、前記結合バー１２０の両端において前記ブラケット１３０のピン１３２がピン孔１２４に係合するようにするとともに、係合突起１３４が支持板２０に形成された係合孔２６に係合するように締結すれば、前記結合バー１２０は、一対の浴槽支持台１０を繋ぎ合わせて一体化させることにより、矩形状の枠状を呈することになる。
【００２９】
このようにして結合された状態で、ブラケット１３０を取り外すと、一対の浴槽支持台１０は、浴槽の大きさ若しくは設置与件に応じて、間隔を調節することが可能になるが、結合バー１２０に表示された目盛り若しくは数字を介して正確な位置に調節することが可能になるということはいうまでもない。調節し終えると、再びブラケット１３０を支持板２０に締結すれば、固定されるのである。
【００３０】
こうなると、図８に示すように、一つの矩形状の枠状を呈する本発明の浴槽支持装置１００が浴槽Ｂの下面を受け止めることになって、さらに安定的な施工状態を実現することが可能になり、ここでは、図示が省略されているが、上述したように、浴槽支持台１０の支持板２０に配備された調節足踏み板５０の高低を調節することで、水平の調節が手軽に行えるようにし、支持棒３０を引き込んだり引き出したりして浴槽カバーＣを支持するようにすることにより、さらに強固に且つ手軽に浴槽を施工することが可能になるのである。
【００３１】
前述した内容においては、後述する発明の特許請求範囲をより上手く理解できるように本発明の特徴と技術的な長所をやや幅広く概説した。本発明の特許請求範囲を構成する付加的な特徴と長所が以下において詳述される。開示された本発明の概念と特定の実施形態は、本発明と略同じ目的を行うための別の構造の設計や修正の基本であって、直ちに使用可能であるということが当該技術分野における熟練された者により認識されるべきである。
【００３２】
また、本発明において開示された発明の概念および実施形態が本発明の同じ目的を行うために別の構造に修正したり設計したりするための基礎であって、当該技術分野における熟練された者によるそのような修正または変更された等価構造は、特許請求範囲において記述した発明の思想や範囲を逸脱しない範囲内において種々の変化、置換及び変更を行うことが可能である。
【符号の説明】
【００３３】
１０  浴槽支持台
２０  支持板
２２  ボルト孔
２４  嵌合孔
２６  係合孔
３０  支持棒
３２  支持面
３４  鋸歯部
４０  ストッパー
５０  調節足踏み板
５２  ボルト棒
５４  足踏み板
５６  取っ手
１００  浴槽支持装置
１１０  連結部材
１２０  結合バー
１２２  レール孔
１２４  ピン孔
１３０  ブラケット
１３２  ピン
１３４  係合突起
Ｂ  浴槽
Ｃ  カバー
【図１】
2020025866.tif 000003
【図２】
2020025866.tif 000004
【図３】
2020025866.tif 000005
【図４】
2020025866.tif 000006
【図５】
2020025866.tif 000007
【図６】
2020025866.tif 000008
【図７】
2020025866.tif 000009
【図８】
2020025866.tif 000010